(57)【要約】      （修正有）【課題】通帳の磁気テープに記録されたデータを保護でき且つＩＣカードのスキミングも防止する通帳ケースを提供する。【解決手段】本体部内側に通帳やＩＣカードを入れるポケット部１２，１３が設けられている２つ折り可能な通帳ケース１０である。本体部１１は柔軟な合成樹脂シートから成る表地１１ｓと裏地１１ｒとから構成され、その間に空間部が形成される。この空間部内にウレタンフォームから成るスペーサー用シート部材の内側に磁気防御及び電磁波遮蔽シートを接合した積層体が配設されている。磁気防御及び電磁波遮蔽シートがアルミニウム、銅、鉄等の各種金属箔製の極薄シート体から成る。スペーサー用シート部材の厚みを３．０ｍｍ以下とし、磁気防御及び電磁波遮蔽シートの厚みを０．１ｍｍ以下とする。スペーサー用シート部材の両面に前記遮蔽シートを接合してもよい。【選択図】図１
0003157053.tif 000002
【実用新案登録請求の範囲】
【請求項１】
本体部内側に通帳を入れることが出来る少なくとも１つのポケット部が設けられている２つ折り可能な通帳ケースであって、
前記本体部は、その周縁部が接合された表地と裏地とから形成されて、これら表地と裏地の間に空間部が形成されており、
この空間部内にスペーサー用シート部材と、このスペーサー用シート部材の内側面に接合された磁気防御及び電磁波遮蔽シートとからなる積層体が配設されていることを特徴とする磁気防御及びスキミング防止機能付き通帳ケース。
【請求項２】
前記スペーサー用シート部材がウレタンフォームやゴムスポンジ等の発泡合成樹脂シートからなることを特徴とする請求項１に記載の磁気防御及びスキミング防止機能付き通帳ケース。
【請求項３】
磁気防御及び電磁波遮蔽シートが、アルミニウム、銅、鉄等の各種金属箔製の極薄シート体から成ることを特徴とする請求項１又は２に記載の磁気防御及びスキミング防止機能付き通帳ケース。
【請求項４】
磁気防御及び電磁波遮蔽シートが、極薄の合成樹脂製フィルムの一方の面に格子状若しくは網目状に又はその全面に金属粉を塗布し又はプリントしたものから成ることを特徴とする請求項１又は２に記載の磁気防御及びスキミング防止機能付き通帳ケース。
【請求項５】
本体部内側に少なくとも１つのＩＣカード等のカードを収納できるポケット部を更に設けたことを特徴とする請求項１乃至４の何れか１項に記載の磁気防御及びスキミング防止機能付き通帳ケース。
【請求項６】
表地と裏地が柔軟な合成樹脂製シートからなることを特徴とする請求項１乃至５の何れか１項に記載の磁気防御及びスキミング防止機能付き通帳ケース。
【請求項７】
スペーサー用シート部材の厚みを３．０ｍｍ以下とし、磁気防御及び電磁波遮蔽シートの厚みを０．１ｍｍ以下としたことを特徴とする請求項１乃至６の何れか１項に記載の磁気防御及びスキミング防止機能付き通帳ケース。
【請求項８】
スペーサー用シート部材の外側面にも磁気防御及び電磁波遮蔽シートを接合したことを特徴とする請求項１乃至７の何れか１項に記載の磁気防御及びスキミング防止機能付き通帳ケース。
【考案の詳細な説明】
【技術分野】
【０００１】
本考案は、銀行の預金通帳や郵便局の貯金通帳等を収納するための通帳ケースに関するものであって、これら通帳に設けられている磁気記録部が外部の磁気等からその磁気記録内容を保護することが出来るものに関する。
更には、この通帳ケースにはＩＣチップが搭載されたＩＣカード等も収納される場合も多く、このような場合をも考慮してスキミング防止機能をも併せ持たせた通帳ケースに関するものである。
【背景技術】
【０００２】
預金通帳や貯金通帳には、通常磁気記録部（磁気テープ）が設けられ、ＡＴＭ等の読取装置でこれら磁気記録部が読み取られ、記録部内の情報が確認される。
この通帳に設けられている磁気テープは、例えばカバンの止め具等に使用されているマグネットや、その他家具や施設等に使用されている磁石や磁性体等により、その記録が破損されてしまうことがある。
また電磁波等による磁界の発生により、その磁気記録部の記録に障害が発生することもある。
【０００３】
他方、通常通帳ケース等には、各種のキャッシュカードやクレジットカード等を共に収納することもある。
これらカードとしては、従来の磁気記録式のものと、大量の情報が記録できるＩＣチップが搭載されたＩＣカードの両方のタイプのものが存在している。
磁気記録式のものにおいては、上記のような通帳における磁気記録部の破損の恐れがあり、その他外部から及ぼされる磁力や電磁波等により磁気記録が読み取れなくなる場合が生じる。
【０００４】
また、前記ＩＣカードとしては、非接触タイプのものが多く、読取装置に近づけるだけで使用者の個人情報を電磁波を利用して読み取ることができる非常に便利なものであるが、逆に、これらＩＣカードに記録された情報を不正に読み取るスキミング被害も発生している。
これらの問題を解消するために、各種の磁気防御部材や電磁波シールド部材が提供されている。
【０００５】
下記特許文献に記載のものは、本願出願人が先に提案したものである。
特許文献１に記載の電磁波シールドシートは、銅材により形成して磁界を吸収する電磁波吸収層としての銅層と、アルミ材により形成して磁界を遮断する電磁波遮断層としてのアルミ層とを備え、前記アルミ層を銅層より人体側に配置して、磁界を遮断して人体を磁界から保護するものである。
【０００６】
下記特許文献２に記載の電磁波遮断シートは、電磁波を遮断するアルミニウムによりシート状の全電磁波遮断シートを形成し、全ての電磁波を遮断する全電磁波遮断型の全電磁波遮断シートを製造する場合は、前記全電磁波遮断シートをそのまま完成品の全電磁波遮断シートとし、８００ＭＨｚ帯の周波数の電磁波を通過許容して１３．５６ＭＨｚ帯の周波数の電磁波を遮断する遮断電磁波選択型の一部電磁波遮断シートを製造する場合は、前記全電磁波遮断シートに複数の孔を穿設して一部電磁波遮断シートとしたものである。
【先行技術文献】
【特許文献】
【０００７】
【特許文献１】特開２００８−９３０９３号公報
【特許文献２】特開２００７−２８７７５２号公報
【考案の概要】
【考案が解決しようとする課題】
【０００８】
本考案においては、先ず銀行預金通帳や郵便局の貯金通帳の磁気テープに記録されたデータを保護できる通帳ケースを提供することをその第一の課題とし、併せて各種カード、とりわけＩＣチップ搭載のＩＣカードについて、そのスキミングをも防止できる通帳ケースを提供することをその課題としている。
また、この通帳ケースの素材の厚みを出来るだけ薄く、つまり効果が損なわれることがない範囲での最小の厚みにすることも本考案の課題である。
【課題を解決するための手段】
【０００９】
上記課題を解決するために、本考案の第１のものは、本体部内側に通帳を入れることが出来る少なくとも１つのポケット部が設けられている２つ折り可能な通帳ケースであって、
前記本体部は、その周縁部が接合された表地と裏地とから形成されて、これら表地と裏地の間に空間部が形成されており、この空間部内にスペーサー用シート部材と、このスペーサー用シート部材の内側面に接合された磁気防御及び電磁波遮蔽シートとからなる積層体が配設されていることを特徴とする磁気防御及びスキミング防止機能付き通帳ケースである。
【００１０】
本考案の第２のものは、上記第１の考案において、前記スペーサー用シート部材がウレタンフォームやゴムスポンジ等の発泡合成樹脂シートからなることを特徴とする磁気防御及びスキミング防止機能付き通帳ケースである。
【００１１】
本考案の第３のものは、上記第１又は第２の考案において、磁気防御及び電磁波遮蔽シートが、アルミニウム、銅、鉄等の各種金属箔製の極薄シート体から成ることを特徴とする磁気防御及びスキミング防止機能付き通帳ケースである。
【００１２】
本考案の第４のものは、上記第１又は第２の考案において、磁気防御及び電磁波遮蔽シートが、極薄の合成樹脂製フィルムの一方の面に格子状若しくは網目状に又はその全面に金属粉を塗布し又はプリントしたものから成ることを特徴とする磁気防御及びスキミング防止機能付き通帳ケースである。
【００１３】
本考案の第５のものは、上記第１乃至第４の何れかの考案において、本体部内側に少なくとも１つのＩＣカード等のカードを収納できるポケット部を更に設けたことを特徴とする磁気防御及びスキミング防止機能付き通帳ケースである。
【００１４】
本考案の第６のものは、上記第１乃至第５の何れかの考案において、表地と裏地が柔軟な合成樹脂製シートからなることを特徴とする磁気防御及びスキミング防止機能付き通帳ケースである。
【００１５】
本考案の第７のものは、上記第１乃至第６の何れかの考案において、スペーサー用シート部材の厚みを３．０ｍｍ以下とし、磁気防御及び電磁波遮蔽シートの厚みを０．１ｍｍ以下としたことを特徴とする磁気防御及びスキミング防止機能付き通帳ケースである。
【００１６】
本考案の第８のものは、上記それぞれの考案において、スペーサー用シート部材の外側面にも磁気防御及び電磁波遮蔽シートを接合したことを特徴とする磁気防御及びスキミング防止機能付き通帳ケースである。
【考案の効果】
【００１７】
本考案の第１のものにおいては、２つ折り可能な本体部が表地と裏地から構成され、これら表地と裏地の間に磁気防御及び電磁波遮蔽シートが内側に接合されたスペーサー用シート部材を配設しているために、この本体部の内側ポケット部に収納された預金通帳や貯金通帳の磁気記録部が２つ折りされた本体部の間に配置されて、磁気や電磁波等から保護され、その磁気記録部が消滅したり、損傷したりすることが極めて少なくなるのである。
【００１８】
本考案の第２のものは、本体部の表地と裏地の間に内設された上記磁気防御及び電磁波遮蔽シートとスペーサー用シート部材との積層体は、特にそのスペーサー用シート部材が発泡合成樹脂シートを使用しているために、軽量で、クッション性に富み、本体部内部に収納される通帳等を保護する役目も果たすものとなる。
即ち、本考案に係る通帳ケースが鞄等に収納された際に、内部の通帳等が安全に保護され、収納されることとなる。
【００１９】
本考案の第３のものにおいては、上記通帳ケースで使用した磁気防御及び電磁波遮蔽シートの素材を限定したものであり、各種金属の極薄の金属箔を利用して、より簡易に製造でき且つ本体部の厚みを薄くすることにより、通帳ケースの使い易さに寄与することとなる。
【００２０】
本考案の第４のものにおいても、前記第３の考案と同様に、磁気防御及び電磁波遮蔽シートを限定したものであって、極薄の合成樹脂製フィルムの一面に各種金属粉を塗布又はプリントしたものであり、このような磁気防御及び電磁波遮蔽シートをスペーサー用シート部材に接合することにより外部からの磁力を防御し、同様にスキミング被害の防止も図ることができる。
【００２１】
本考案の第５のものにおいては、本体部の内側に更にＩＣカード等を収納できるポケット部を設けたことにより、通帳ばかりでなくキャッシュカードやクレジットカード等をも収納する事ができ、しかも、これらカードの磁気テープやＩＣチップを外部の磁気や電磁波から防御することができることとなる。
これにより磁気テープの記録が破損されたり、ＩＣチップのスキミング被害を防止することができる。
【００２２】
本考案の第６のものにおいては、本体部の表地と裏地を柔軟な合成樹脂シートから形成したことにより、その製造を容易化し、内部の磁気防御及び電磁波遮蔽シートとスペーサー用シート部材の素材とも相俟って、本体部全体を柔軟なタッチのものとして仕上げることができ、取り扱い易いものとなる。
【００２３】
本考案の第７のものにおいては、スペーサー用シート部材の厚みを３．０ｍｍ以下とし、磁気防御及び電磁波遮蔽シートの厚みを０．１ｍｍ以下として、これらの積層体を極めて薄く形成することにより、表地と裏地を含めた本体部全体の厚みを約４．０ｍｍ程度以下とすることが可能となるのである。
これにより、使用に際してもより軽便で、鞄等に収納しても、嵩張ることがなく、極めて利用価値の高い便利なものとなる。
【００２４】
本考案の第８のものにおいては、磁気防御及び電磁波遮蔽シートをスペーサー用シート部材の両面に接合したものとなり、これにより磁気防御及び電磁波遮蔽の効果をより向上させたものとなる。
【図面の簡単な説明】
【００２５】
【図１】本考案の一実施形態であって、その内側を開いた状態を示す全体斜視図である。
【図２】図１のII−II線断面図である。
【考案を実施するための形態】
【００２６】
以下、添付の図面と共に本考案の実施形態について説明する。
図１は、本考案の一実施形態をその内側を開いた状態に示す全体斜視図である。
図２は、図１のII−II線断面図である。
本考案に係る磁気防御及びスキミング防止機能付き通帳ケース１０は、柔軟な合成樹脂製シートからなる本体部１１と、その内側面に設けられた預金通帳や貯金通帳を収納できるポケット部１２、１３とから成る。
【００２７】
図２から解るとおり、本体部１１は、外側に配設される表地１１ｓと、内側に配設される裏地１１ｒとから成り、これら表地１１ｓと裏地１１ｒは共に柔軟な合成樹脂製シートからなり、これらの外周縁部の全体と、２つ折りの中央折目線部分の中央折目部位１５で溶着されている。
これにより、中央折目部位１５の部分が補強され、蝶番の如き役目を担うことが出来る。
また、表地１１ｓと裏地１１ｒとの間に空間部が形成されることとなる。
【００２８】
この空間部内に、本考案の特徴部分である磁気防御及び電磁波遮蔽シート１７とウレタンフォームから成るスペーサー用シート部材１８との積層体が配備される。
この実施形態では、上記スペーサー用シート部材１８の内側の面に、即ち裏地１１ｒの側に磁気防御及び電磁波遮蔽シート１７が積層され、接着剤により接合されている。
【００２９】
本体部のサイズは、２つ折りにした際に、通帳の大きさよりも少し大きい縦横のサイズに形成している。
この実施形態では、その２つ折にした際の縦横のサイズは略１０３ｍｍ×略１７０ｍｍとしている。
【００３０】
他方、本体部１１の内側の面に設けられているポケット部１２、１３は、半透明で柔軟な合成樹脂製シート１２ｓ、１３ｓを使用し、その３つの側縁部（３辺）を溶着して、中央折目部位１５に向かって開口する開口部１２ｋ、１３ｋを設けたものであり、この内部に通帳が丁度収納できる大きさとしている。
【００３１】
更に、本実施形態においては、ポケット部１３の内側にキャッシュカードやクレジットカード等の各種カードを収納することができるカード用ポケット部１４、１６を設けている。
これらのカード用ポケット部１４、１６も、上記ポケット部１２、１３と同様に、半透明の柔軟な合成樹脂製シート１４ｓ、１６ｓから形成され、その３辺を溶着して、中央折目部位に向かって開口部１４ｋ、１６ｋが設けられている。
【００３２】
磁気防御及び電磁波遮蔽シート１７としては、各種のものを使用することができる。
例えば、アルミニウム、銅、鉛、ステンレス、鉄等の金属箔、或いは真鍮等の合金等を極薄のシート状（金属箔）にしたものを使用することができる。
その厚みも１００μｍ程度以下の極薄のものを使用する。
【００３３】
更に、磁気防御及び電磁波遮蔽シート１７としては、やはり約１００μｍ程度の極薄の合成樹脂製フィルムにアルミニウムやその他の金属を蒸着等したものを使用することもできる。
また、同様に極薄の合成樹脂製フィルム、例えばポリエチレン・フィルムに各種金属、即ち、透磁性又は導電性を有する各種金属粉を格子状に若しくは網目状に又はその全面に塗布したり、プリントしたりして形成することもできる。
勿論、この金属粉と共に炭素や珪素を含有させることもできる。
尚、アルミニウムの場合には、この金属は透磁性を有さないために、磁気遮蔽の効果は期待できないので、他の金属を共に用いる必要があるが、電磁波の遮蔽には有効である。
【００３４】
上記のように金属粉を格子状等に塗布する場合には、当然塗布前に格子状等に接着剤を予め塗布し、その後金属粉等を塗布するのである。
また、プリントする際は、その印刷用インク内に金属粉や炭素等の所望の原材料を混入させた上で格子状又は網目状にプリントを行うのである。
勿論、樹脂フィルムの全面に金属粉等を塗布したり、プリントしたりすることもできる。
【００３５】
更に、この磁気防御及び電磁波遮蔽シート１７の外側面には、上記した通り、ウレタンフォームから成るスペーサー用シート部材１８を積層し、接着剤により接合するのである。
このスペーサー用シート部材１８の厚みは、３．０ｍｍ以下のものを使用するが、この実施形態では、２．０ｍｍのものを使用した。
このスペーサー用シート部材１８としては、その材質は自由であるが、上記の発泡ポリウレタンやゴムスポンジ等の各種の発泡合成樹脂シートを利用することができるが、適宜その厚みを維持し、軽量のものが好ましい。
勿論、このスペーサー用シート部材１８は、柔軟なものでなく、硬質のものであってもよいのであるが、その重量等を考慮すれば、前記発泡合成樹脂製のものが好ましい。
【００３６】
このスペーサー用シート部材１８を使用した目的は、本考案に係る通帳ケースのその厚みを維持するためなのである。
所定の厚みを適宜維持することにより、外部から波及する磁気の効力を減退又は減衰させることができるからである。このために、スペーサー用シート部材という名称を使用したのである。
この厚みの維持と、前記磁気防御及び電磁波遮蔽シート１７との相乗効果により本考案に係る通帳ケースの磁気防御及び電磁波遮蔽効果が向上するのである。
【００３７】
これにより、磁気防御及び電磁波遮蔽シート１７とスペーサー用シート部材１８との厚みを約３ｍｍ程度とすることができ、表地１２及び裏地１３の厚みを加えて、本体部１１の全厚みを約４．０ｍｍ程度以下とすることができる。
このように、本体部１１の厚みを薄くしたことにより、内部に通帳及び各種カードを収納し、鞄等に入れても嵩張る事が無くなり、便利なものとなる。
【００３８】
尚、本考案に係る通帳ケースは、２つ折りされて使用され、その２つ折りされた本体部１１の内側に通帳やカードが収納されるために、その通帳やカードの磁気記録部及びＩＣチップが設けられた面の向きを考慮する必要はない。
以上のように、本考案に係る磁気防御及びスキミング防止機能付き通帳ケースは、その内側に設けられたポケット部１２、１３に通帳を収納し、カード用ポケット部１４、１６には、例えばＩＣカード等を収納することによって、外部からの磁気を防御し、またスキミングの防止を図ることができるのである。
勿論、本考案に係る通帳ケースは、本体部１１が樹脂シートから形成されているために、その表面に絵や写真等の各種のプリントを施したり、各種の情報を印刷して利用することもできる。
【００３９】
以上、本考案の実施形態について説明したが、本考案においては、本体部やポケット部を構成する柔軟な合成樹脂製シートの素材は、ＰＶＣシート等柔軟なものであれば、どのような素材をも採用することができる。
また、磁気防御及び電磁波遮蔽シートは、これが積層されるスペーサー用シート部材の両方の面に接合することもできる。
スペーサー用シート部材の材質も自由に選択することができるが、発泡合成樹脂等の軽量なものを利用することが好ましい。
また、ポケット部やカード用ポケット部を設ける数も自由である。
【００４０】
以上、本考案は、磁気防御及び電磁波遮蔽シートとスペーサー用シート部材との積層体を、本体部の表地と裏地の間に配設して、薄い弾力性と柔軟性のある通帳ケースとして構成することができ、これにより磁気防御及びスキミング防止機能を有するものとして、利用価値の高い通帳ケースを提供することができたものである。
【符号の説明】
【００４１】
１０  磁気防御及びスキミング防止機能付き通帳ケース
１１  本体部
１１ｓ  表地
１１ｒ  裏地
１２、１３  ポケット部（通帳の）
１４、１６  カード用ポケット部
１７  磁気防御及び電磁波遮蔽シート
１８  スペーサー用シート部材
１５  中央折目部位
【図１】
0003157053.tif 000003
【図２】
0003157053.tif 000004